(57)【要約】【課題】読者がその興味や関心に基づいて主体的に電子書籍を作成できるシステムの提供を課題とする。【解決手段】籍または雑誌記事もしくは新聞記事を構成する文章、イメージおよびレイアウトに関する（以下、「素材データ」という）を蓄積したデータベースと、当該データベースにアクセスしてきた読者にその求めにしたがって前記素材データの一以上を取得させ、さらに、それらを組み合わせさせるためのユーザインタフェースを含み、これによって一または複数の素材データの組み合わせから電子書籍を作成する電子書籍化システム。【選択図】図１
2017010503.tif 000002
【特許請求の範囲】
【請求項１】
書籍または雑誌記事もしくは新聞記事を構成する文章、イメージおよびレイアウトに関する（以下、「素材データ」という）を蓄積したデータベースと、当該データベースにアクセスしてきた読者にその求めにしたがって前記素材データの一以上を取得させ、さらに、それらを組み合わせさせるためのユーザインタフェースを含み、これによって一または複数の素材データの組み合わせから電子書籍を作成する電子書籍化システム。
【請求項２】
前記データベースが各素材データについての利用の可否の程度および利用条件を含む請求項１に記載の電子書籍化システム。
【請求項３】
さらに、電子書籍化システムで作成した電子書籍を請求項２に記載の条件に従って販売する機能を有する請求項２に記載の電子書籍化システム。
【請求項４】
さらに広告データベースを含み、作成された電子書籍の全部または一部に広告を挿入する機能を有する請求項１〜３のいずれかに記載の電子書籍化システム。
【請求項５】
請求項１〜４のいずれかに記載の電子書籍化システムで作成した電子書籍の全部または一部をコニビニエンスストアまたは事務ステーションで印刷する紙面書籍化システム。
【請求項６】
動画データベースと、書籍中のページ、ページ内画像またはページ内コードが動画データベース中の動画と関連付けされた紙面書籍または電子書籍と、画像認識可能な携帯端末またはパソコンとの通信が可能なサーバを含み、前記携帯端末またはパソコンから前記動画と関連付けされた動画送信要求を受信した際に、該当する動画を送信する動画配信システム。
【発明の詳細な説明】
【技術分野】
【０００１】  本発明は、電子書籍化システムおよび紙面書籍化システムに関する。
【背景技術】
【０００２】  現在、電子書籍としては多数のコンテンツが出版されているが、これらは、基本的には、紙媒体で提供されていた書籍（以下、「紙面書籍」という）を、パソコンや専用端末、スマートフォン、タブレット端末等で閲覧できるようにしたものである。【０００３】  場合によっては、電子書籍版が紙面書籍よりも廉価に販売されている場合もあるが、通常は同程度の価格であり、読者の立場から見ると電子書籍は携帯性が増しただけであり、紙面書籍に代えて電子書籍を選択する利点が大きいとは言えない。【０００４】  また、音楽業界では、ＣＤ等の売り上げは曲ごとの配信による売り上げに凌駕されているが、書籍においてはそのような現象は生じていない。これは、電子化手法が音楽では成功しているが、書籍では読者の真の需要を掘り起こしていないことを示唆している。【０００５】  そこで、書籍においても様々な提案がなされている。例えば、読者の読書傾向から、読者の関心度の高い内容を分析して、読者に対し試読の機会を提示するものもある（例えば、特許文献１参照）。
【先行技術文献】
【特許文献】
【０００６】
【特許文献１】特願２０１０−２８８１９２号公報
【発明の概要】
【発明が解決しようとする課題】
【０００７】  しかし、前述のような関心度分析は、たまたま直近に読んだ本と同じ傾向の書籍を繰り返し提案する結果になりやすい。また、同じ作者の本ばかり、同じ分野の本ばかりという陳腐な提案にもなりやすい。しかるに、現実には、同じ傾向の書籍を総当たり的に順次読んでいく読者は稀であり、また、同一分野の書籍ばかり提案しても主体的な読者には全く意味がない。そこで、本発明は電子書籍においても読者の真の需要を掘り起こすための手法を提供することを目的とする。
【課題を解決するための手段】
【０００８】  上述の課題を解決するため、本発明は、以下の手法を提案する。
［１］書籍または雑誌記事もしくは新聞記事を構成する文章、イメージおよびレイアウトに関するデータ（以下、「素材データ」という）を蓄積したデータベースと、当該データベースにアクセスしてきた読者にその求めにしたがって前記素材データの一以上を取得させ、さらに、それらを組み合わせさせるためのユーザインタフェースを含み、これによって一または複数の素材データの組み合わせから電子書籍を作成する電子書籍化システム。
［２］前記データベースが各素材データについての利用の可否の程度および利用条件を含む前記［１］に記載の電子書籍化システム。
［３］さらに、電子書籍化システムで作成した電子書籍を前記［２］に記載の条件に従って販売する機能を有する前記［２］に記載の電子書籍化システム。
［４］さらに広告データベースを含み、作成された電子書籍の全部または一部に広告を挿入する機能を有する前記［１］〜［３］のいずれかに記載の電子書籍化システム。
［５］前記［１］〜［４］のいずれかに記載の電子書籍化システムで作成した電子書籍の全部または一部をコニビニエンスストアまたは事務ステーションで印刷する紙面書籍化システム。
［６］動画データベースと、書籍中のページ、ページ内画像またはページ内コードが動画データベース中の動画と関連付けされた紙面書籍または電子書籍と、画像認識可能な携帯端末またはパソコンとの通信が可能なサーバを含み、前記携帯端末またはパソコンから前記動画と関連付けされた動画送信要求を受信した際に、該当する動画を送信する動画配信システム。
【発明の効果】
【０００９】  本発明によれば、各読者がその興味や関心に基づいて主体的に電子書籍を作成できる。また、読者はそれぞれのセンスによって独自の電子書籍を作成販売できるため、大量の雑誌・書籍の中で埋没していた素材を新しい観点から利用でき、素材の著作者・著作権者、出版社、電子書籍の作成者、購入者のいずれにもメリットがある。さらに、その電子書籍の全部または一部を最良のフォーマットで印刷して紙面書籍とできるため、紙面にこだわりを有する読者をも満足させることができる。さらに書籍中に広告を挿入できるため、書籍作成に関与する者に対し広告収入を付与できる。また、本発明によれば、書籍と動画販売をリンクさせることができるため、動画販売においてもメリットが大きい。
【図面の簡単な説明】
【００１０】
【図１】本発明全体のシステムを示す模式図。
【図２】本発明の第一及び第二の態様のシステムを示す模式図。
【図３】本発明の第三の態様のシステムを示す模式図。
【図４】作成された広告入り雑誌のイメージを示す模式図。
【図５】書籍と動画データの関連付けを紙面書籍について示す模式図。
【図６】書籍からの動画データ購入の流れを紙面書籍について示す模式図。
【図７】雑誌編集の流れを示す模式図。
【図８】ユーザ動作の流れを示す模式図。
【発明を実施するための形態】
【００１１】  本発明は第一に書籍または雑誌記事もしくは新聞記事を構成する文章、イメージおよびレイアウトに関する（以下、「素材データ」という）を蓄積したデータベースと、当該データベースにアクセスしてきた読者にその求めにしたがって前記素材データの一以上を取得させ、さらに、それらを組み合わせさせるためのユーザインタフェースを含み、これによって一または複数の素材データの組み合わせから電子書籍を作成する電子書籍化システムを提供する。
【００１２】  ここで、書籍または雑誌記事もしくは新聞記事を構成する文章、イメージおよびレイアウトとは、例えば、書籍であれば一冊の本、ひとつの章、ひとつの節などの一定の区切りごとのまとまりであり、雑誌であればひとつの記事、新聞であればひとつの記事や連載などであるが、著作権的に処理可能なひとつのブロックであれば特に限定されない。また、イメージは写真、イラスト、絵画、マンガ、カット等であり、通常、書籍や雑誌では文章（テキスト）と一体化されているが、好ましくは、そのような文章（テキスト）と一体化した状態の他にイメージ単体としても利用できることが好ましい。
【００１３】  レイアウトは書籍や雑誌における文章やイメージの配置やフォントの組み合わせなどスタイルシート的なものである。
【００１４】  これらのデータベースは、ひとつの雑誌、ひとつの出版社、出版社の連合体、新聞社その他、任意のレベルで構成され得る。また、データベースの運営主体自体は出版社でも書店でも新聞社でもＥＣサイトでもよく任意である。
【００１５】  図１に、本発明全体のシステムを示し、図２に特に第一及び第二の態様のシステムを、図３に特に第三の態様のシステムを示す。
【００１６】  本発明の第一の態様によれば、システムには素材データを蓄積したデータベースと当該データベースにアクセスしてきた読者にその求めにしたがって前記素材データの一以上を取得させ、さらに、それらを組み合わせさせるためのユーザインタフェースが含まれる。
【００１７】  具体的には様々に構成可能であるが、例えば、図２では、素材データベースは、「出版社等サーバ」の下に置かれ、「電子化された書籍」データベースと「ＷＥＢ  各ページ」データベースとして表わされている（動画データベース等については後述）。なお、「出版社等サーバ」は前述のように出版社単独のものでもよいし、複数の会社を統合したものでもよいし、独自の組織によって運営されるものでもよい。図１に示すように、別に設けられた「出版社等サーバ」（これは出版社ごとに存在してもよい）と同期するものでもよい。また、データベースはクラウド化されていてもよい（以下、特に断らない限り同じ）。
【００１８】  素材データベースは、既存の雑誌から構成することも可能であるし、個々の編集者やライター等が随時、アップロードしてもよい。また、これらの各記事はそれぞれのテーマに応じてタグ付けされていることが好ましく、最新の投稿記事によってＷＥＢ雑誌を構成してもよい。
【００１９】  ユーザインタフェースは、ユーザの携帯端末やパソコン等の固定端末に記憶されるアプリケーションでもよいし、図中「Ｍｙ雑誌編集サーバ」として記載しているサーバにおけるプログラムでもよいし、両者の協働によるものでもよい。図１では、「Ｍｙ雑誌編集サーバ」の下に「出版社等サーバ」データベースとして「出版社等サーバ」のデータベースと同期した内容を含むデータベースが示されている。ユーザの携帯端末は、典型的にはスマートフォンやタブレットを含むが、編集操作可能なものであれば特に限定されない。
【００２０】  なお、ユーザはその都度、システムを利用する者でもよいが、基本的には事前に登録したシステム利用会員であることが好ましい。
【００２１】  読者はこれらのデータベースにアクセスして、例えば、図７のように独自の雑誌を構成し必要に応じて印刷できる。すなわち、図７では最左欄に示すように種々の雑誌が選択可能である。これらの雑誌は、例えば、本発明のシステムの利用者が契約条件に応じて一定または従量制の課金等によって閲覧可能とされたり、書店・図書館等で読んで知ったものである。閲覧に際しては例えば、文字がぼやけている等、それ自体では内容を閲読できない条件でデータベースから提供されてもよい。
【００２２】  この例で、ユーザはＣａｒ雑誌、バイク雑誌、料理雑誌、ＷＥＢ情報誌を選択し、雑誌それぞれのバックナンバーの特定のページ（特集記事）とＷＥＢ情報誌の特集を選択し、しかる後、これらを組み合わせることにより独自の雑誌を作成している。
【００２３】  ここでは雑誌の特集単位の組み合わせであるが、雑誌の記事中のテキストと書籍のテキストを組み合わせてもよい。また、雑誌の記事のテキストと別の雑誌の写真とを組み合わせてもよい。あるいは雑誌のスタイルシートで独自の記事を構成できる。さらに、雑誌の記事中の写真のみを利用して、ユーザ独自の文章とレイアウトで独自の記事を作成してもよい。
【００２４】  ユーザインタフェースは好ましくはデータベースとシームレスに結合され、選択した記事、イメージ、レイアウトを携帯端末やパソコン等の端末上で編集・結合して好みの電子書籍（雑誌形態に限定されるものではないが、本発明において「Ｍｙ雑誌」ともいう）を作成できる。
【００２５】  データベースは好ましくは、各素材データについての利用の可否の程度および利用条件を含む。例えば、雑誌Ａの記事に関しては、記事を構成する文章（テキスト）とイメージ（写真）が一体化した状態でのみ利用できるという場合、読者はその中の一方のみを抽出することはできないが、文章（テキスト）とイメージ（写真）が個別に利用できる場合はいずれかを別の文章（テキスト）またはイメージ（写真）に置き換えることができる。
【００２６】  また、個人利用に限って利用できるという条件の場合は、後述の販売はできない。
本発明の電子書籍化システムで作成した電子書籍は「Ｍｙ雑誌編集サーバ」あるいは他のサーバに保存され、ユーザの要求に応じて自ら閲覧し、または第三者への閲覧を可能とできる。「Ｍｙ雑誌編集サーバ」には、各ユーザに応じてデータベースが保持されており、素材との関連付けや編集履歴、年齢・性別・家族構成・居住地域・関心事等のユーザ属性が保存される。利用した記事や閲覧した記事の記録も可能な限り保持される。
【００２７】  さらに前記の条件に従って販売することも可能である。例えば、前述の図７右欄の雑誌を作成した場合、これを電子書籍化システムまたは通常の電子書籍販売サイトを介して販売できる。この場合、各素材には所定の著作権データが電子透かしのようなかたちで組み込まれており、販売がなされた場合は、その販売が前記条件を遵守するものであるかのチェックとともに、著作権者・出版権者・著作権管理者等への報酬の分配もなされる。このような課金および報酬の分配のために本発明のシステムは課金サーバのような課金管理システムをさらに含んでもよい。
【００２８】  電子書籍は作成者が望む場合は、個別の記事αを販売することも可能である。また、この際、記事αを構成する素材の権利者は、例えば、エロティックな内容の記事と同時に書籍化はできないというような条件を設定することも可能であり、この場合、電子書籍化システムは、記事αと記事βは単独で販売できるが、記事βがエロティックな内容なのでひとつの電子書籍としての販売はできない、という条件を充足しているかをチェックできることが好ましい。
【００２９】  本発明の電子書籍化システムで作成した電子書籍の全部または一部はコニビニエンスストアまたは事務ステーション（Ｋｉｎｋｏ’ｓ等）またはユーザプリンタで印刷することも可能である。あるいは、別途契約された印刷会社で正規の用紙に印刷したものを取り寄せできるようにしてもよい。このような印刷では、従来は、文字がにじむなどの問題があったが、本発明によれば、雑誌や書籍のクオリティーで印刷が可能である。また、電子書籍化システムからコード化された情報として印刷がなされるため、不正に契約条件以上の部数を印刷したり複製したりすることができない。印刷にあたっては前述の課金サーバのような課金管理システムを利用してもよいし、コンビニ等での印刷では、コンビニの課金サービスと連携して必要な料金をコンビニで決済できるようにしてもよい。
【００３０】  さらに本発明の第二の態様においては、広告データベースを含み、作成された電子書籍の全部または一部に広告を挿入する機能を有する。そのために、本発明のシステムは「Ｍｙ雑誌広告サーバ」のような広告管理システムを有し、その下に広告データベースを備えている。「Ｍｙ雑誌広告サーバ」は単純に広告を割り当てるものでもよいが、ユーザ自身の閲覧のためのＭｙ雑誌では「Ｍｙ雑誌編集サーバ」に関連して述べたユーザ属性や編集履歴に応じて、また、ユーザ以外の第三者への販売目的ではその者の属性や当該書籍の内容等に応じた広告を付与してもよい（図４）。印刷まで含めたユーザにおける動作の流れを図８に示す。
【００３１】  さらに本発明の第三の態様においては、システムは、動画データベースと、書籍中のページ、ページ内画像またはページ内コードが動画データベース中の動画と関連付けされた紙面書籍または電子書籍と、画像認識可能な携帯端末またはパソコンとの通信が可能なサーバを含み、前記携帯端末またはパソコンから前記動画と関連付けされた動画送信要求を受信した際に、該当する動画を送信する（図３）。
【００３２】  すなわち、「出版社等サーバ」のデータ、「Ｍｙ雑誌」あるいはそれ以外の書籍と動画データが関連付けられている。その態様を紙面書籍について図５に示す。この図に示すように、書籍中の動画リンク箇所と動画は、書籍のページ（ｅ）、書籍のページ内の画像（ｆ）、ＱＲコードのようなコード（ｇ）またはそれらの組み合わせ（ｈ）によって関連付けされている。
【００３３】  紙面書籍の場合、ユーザの動作は以下の通りである（図６）。
ユーザはまず、スマートフォン等の画像認識可能な端末（図中、「カメラ付スマートフォン・タブレット」）に予め専用アプリをダウンロードしておく。次いで、購入した雑誌等の書籍をこれらの端末により認識させる。この認識は、ページ、書籍のページ内の画像、ＱＲコードのようなコードまたはこれらに含まれる情報と対比され、そのアプリによって直接、または、しかるべきサーバ（上述のシステムでは「Ｍｙ雑誌編集サーバ」）を介して動画を特定する（以上、図中、「雑誌認識」）。ユーザが課金を了承する場合は、（図３）のように課金サーバにより所定の課金を行うこととして、動画のダウンロードまたはストリーミングによる受信が可能になる。なお、動画はユーザの識別が可能であれば別の媒体でものダウンロードまたはストリーミング受信可能としてもよい。この場合、一定の期間を限って可能にしてもよい。なお、動画の課金了承に先立ってユーザは短時間の試し視聴が可能なシステムとしてもよい。
【００３４】  上記では、紙面書籍について説明したが、これは電子書籍の場合も同様であり、上記Ｍｙ雑誌においても動画とのリンク付けを行うことができる。
従って、本発明はＤＶＤやブルーレイディスク等の動画を紹介した雑誌等、出版社等が提供する動画について手軽に動画を購入する手段を提供するとともに、ユーザ自身が撮影または作成した動画をＭｙ雑誌に組み込んで販売する手段をも提供する。
【図１】
2017010503.tif 000003
【図２】
2017010503.tif 000004
【図３】
2017010503.tif 000005
【図４】
2017010503.tif 000006
【図５】
2017010503.tif 000007
【図６】
2017010503.tif 000008
【図７】
2017010503.tif 000009
【図８】
2017010503.tif 000010